(57)【要約】【課題】複数の熱源設備を効率的に運転する。【解決手段】空調機１５０に、サテライト熱源からの熱源水を供給する熱交換コイルＣｓと、セントラル熱源からの熱源水を供給する熱交換コイルＣｃを設置する。制御器１４０は、各空調設備２００の空調負荷に基づいて、各熱源の消費エネルギー量、運転コスト、二酸化炭素排出量の少なくとも１つが最小となるように、各熱源の運転方法を求め、制御器１４０に各熱交換コイルの分担負荷を示す情報を送信する。制御器１４０は、分担負荷が急変した場合、変更後の分担負荷に基づき、熱交換コイルの出口空気温度の目標値を再設定し、この目標値に向けて各熱交換コイルへの熱源水の供給水量を徐々に増減する。【選択図】図２
2008209023.tif 000002
【特許請求の範囲】
【請求項１】
１台以上の空調設備に複数の配管系統を通じて熱源水を供給する複数の熱源設備を制御する熱源設備制御装置であって、
前記１台以上の空調設備から前記空調設備の空調負荷を示す空調負荷情報を受信する空調負荷受信手段と、
前記空調負荷受信手段が受信した前記空調負荷情報の示す空調負荷と前記空調設備の空調能力と各熱源設備の動作特性とに基づいて、前記空調設備の空調能力が前記空調負荷受信手段により受信された前記空調負荷情報の示す空調負荷と同等となり且つ前記熱源設備全体の運転負荷のうち少なくとも１つが最小値をとるように、前記熱源設備の運転態様を求める運転態様取得手段と、
前記運転態様取得手段により求められた運転態様に基づいて、前記複数の熱源設備を制御する熱源設備制御手段と、
を備えることを特徴とする熱源設備制御装置。
【請求項２】
前記運転態様は、前記熱源設備毎の運転状態又は停止状態或いは運転時の出力値である、
ことを特徴とする請求項１に記載の熱源設備制御装置。
【請求項３】
請求項１に記載の熱源設備制御装置と、
前記熱源設備制御装置に制御される複数の熱源設備と、前記複数の熱源設備から複数の配管系統を通じて熱源水が供給される１台以上の空調設備と、を備えた空調システムであって、
前記空調設備は、
前記複数の熱源設備から熱源水が供給され、空調対象の空気を該熱源水の放熱又は吸熱により冷却又は加熱する複数の熱交換コイルと、
空調設備の空調負荷を示す空調負荷情報を前記熱源設備制御装置に送信する空調負荷送信手段と、
を備え、
前記熱源設備制御装置は、
前記運転態様取得手段で取得した運転態様に基づいて、前記空調設備の熱交換コイル毎に分担すべき空調負荷を示す分担負荷情報を送信する分担負荷送信手段を備え、
前記空調設備は、
前記分担負荷送信手段により送信された前記分担負荷情報を受信し、受信した分担負荷情報に基づいて、前記熱交換コイルの吸熱量又は発熱量が前記分担負荷送信手段により送信された分担付加と同等となり、且つ、空調機出口の空気温度が所定値以上変動しないように、複数の熱源設備から熱交換コイルへ供給する水量を熱交換コイル毎に制御する供給水量制御手段と、
を備えることを特徴とする空調システム。
【請求項４】
請求項１に記載の熱源設備制御装置と、
前記熱源設備制御装置に制御される複数の熱源設備と、前記複数の熱源設備から複数の配管系統を通じて熱源水が供給される１台以上の空調設備と、を備えた空調システムであって、
前記空調設備は、
前記複数の熱源設備から熱源水が供給され、空調対象の空気を該熱源水の放熱又は吸熱により冷却又は加熱する複数の熱交換コイルと、
空調設備の空調負荷を示す空調負荷情報を前記熱源設備制御装置に送信する空調負荷送信手段と、
を備え、
前記熱源設備制御装置は、
前記運転態様取得手段で取得した運転態様に基づいて、前記空調設備に運転させる熱交換コイルを切り替えさせる切替信号を送信する切替信号送信手段を備え、
前記空調設備は、
熱交換コイルの出口の空気温度の目標値を設定する目標値設定手段と、
熱交換コイルの出口の空気温度を測定する出口空気温度測定手段と、
前記切替信号を受信したことに応答して、前記目標値設定手段により設定された切替対象でない熱交換コイルの目標値を、前記目標値設定手段により設定された切替対象の熱交換コイルの目標値とし、前記目標値設定手段により設定された切替対象でない熱交換コイルの目標値を所定値とする切替時目標値設定手段と、
空調機出口の空気温度が所定値以上変動せず、且つ、前記目標値設定手段又は前記切替時目標値設定手段により設定された目標値と前記出口空気温度測定手段により測定された空気温度とが等しくなるように、複数の熱源設備から熱交換コイルへの供給水量を熱交換コイル毎に制御する供給水量制御手段
を備えることを特徴とする空調システム。
【請求項５】
前記運転態様は、前記熱源設備毎の運転状態又は停止状態或いは運転時の出力値である、
ことを特徴とする請求項３又は４に記載の空調システム。
【請求項６】
１台以上の空調設備に複数の配管系統を通じて熱源水を供給する複数の熱源設備を制御する熱源設備の制御方法であって、
前記１台以上の空調設備から前記空調設備の空調負荷を示す空調負荷情報を受信する空調負荷受信ステップと、
前記空調負荷受信ステップが受信した前記空調負荷情報の示す空調負荷と前記空調設備の空調能力と各熱源設備の消費エネルギー量、運転コスト又は二酸化炭素排出量とに基づいて、前記空調設備の空調能力が前記空調負荷受信手段により受信された前記空調負荷情報の示す空調負荷と同等となり、且つ前記熱源設備全体の運転負荷のうち少なくとも１つが最小値をとるように、前記熱源設備の運転態様を求める運転態様取得ステップと、
前記運転態様取得ステップにより求められた運転態様に基づいて、前記複数の熱源設備を制御する熱源設備制御ステップと、
を備えることを特徴とする熱源設備の制御方法。
【請求項７】
請求項１に記載の熱源設備制御装置と、前記熱源設備制御装置に制御される複数の熱源設備と、前記複数の熱源設備から複数の配管系統を通じて熱源水が供給される、１台以上の空調設備と、
を備えた空調システムの制御方法であって、
前記空調設備は、
熱交換コイル毎に前記複数の熱源設備のいずれか１つから熱源水が供給され、空調対象の空気を該熱源水の放熱又は吸熱により冷却又は加熱する複数の熱交換コイルを備え、
前記空調設備により、
空調設備の空調負荷を示す空調負荷情報が前記熱源設備制御装置に送信される空調負荷送信ステップと、
前記熱源設備制御装置により、
前記運転態様取得ステップで取得された運転態様に基づいて、熱交換コイル毎に分担すべき空調負荷が示す分担負荷情報が送信される分担負荷信号送信ステップと、
前記空調設備により、
前記分担負荷送信ステップで送信された前記分担負荷が変更されたことに応答して、前記熱交換コイルの吸熱量又は発熱量が前記分担負荷送信ステップで送信された分担負荷と同等となり、且つ、空調機出口の空気温度が所定値以上変動しないように、複数の熱源設備から熱交換コイルへの供給水量が熱交換コイル毎に制御される供給水量制御ステップと、
を備えることを特徴とする空調システムの制御方法。
【発明の詳細な説明】
【技術分野】
【０００１】
本発明は、複数の熱源設備を制御する熱源設備の制御装置と、熱源設備及び空調設備からなる空調システムと、この空調システムの制御方法と、に関する。
【背景技術】
【０００２】
空調システムは、一般に熱源設備、空調設備、搬送設備、自動制御設備で構成される。例えば、特許文献１の図１に開示された空調システムでは、冷却塔で冷却された冷却水を冷凍機等の熱源設備に配管系統（搬送設備）を通じて供給することで冷凍機を冷却する。一方、冷凍機は、冷却水とは別に設けられた配管系統を通じて冷却した熱源水（冷水）を空調設備内の熱交換コイル等の熱交換器に供給する。冷水が供給された熱交換コイルは空調設備に流通する空気を冷水の吸熱により冷却し、送風機で冷却された空気をクリーンルーム等、空調対象の空間へ送風する。これらの設備内の機器、装置は、自動制御設備により制御される。
【０００３】
この空調システムが使用される施設の規模が大きいと、空調対象の空間が複数あることが多く、これに対応するため熱源設備、空調設備を複数備えることがある。熱源設備が複数有る場合、従来は、例えば、中央にセントラル熱源を設置し、サテライト熱源は分散配置し、各空調設備にそれぞれの熱源から複数の配管系統を通じて熱源水を供給していた。そして、各空調設備の空調負荷に応じて、制御装置が熱源水の供給源を切り替えることで、施設全体の省エネルギー化を図っていた。例えば、特許文献２に開示された空調設備は、様々な運転方法（運転態様）における設備全体の運転負荷を算出し、この運転負荷が最小となるように各機器を制御することで、さらなる省エネルギー化を図っている。
【特許文献１】特開２００６−３００３９２号公報
【特許文献２】特開２００４−２９３８４４号公報
【発明の開示】
【発明が解決しようとする課題】
【０００４】
従来、空調設備が熱交換コイルを備える場合、通常熱交換コイルは空調機ごとに１つのみであり、このため、この熱交換コイルに冷却した熱源水（冷水）を供給する熱源設備をセントラル熱源とサテライト熱源との間で切り替える際、熱交換コイルに供給される熱源水の温度や流量が急激に変化し、熱交換コイルの熱交換（冷却）能力が変動してしまう。この結果、室内温度や湿度が急激に変動してしまう。従って、熱源の切り替えは、工場の生産が停止する休日等に行うしかなく、セントラル熱源とサテライト熱源との切り替えによる省エネルギー効果を出しづらく、運転効率も低かった。
【０００５】
本発明は、上記問題点に鑑みてなされたもので、複数の熱源設備をより効率的に運転する熱源設備の制御装置及びその制御方法を実現する。
また、室内温度や湿度を急激に変動させずに、熱源水の供給水量を制御する空調システム及びその制御方法を実現することを目的とする。
【課題を解決するための手段】
【０００６】
上記目的を達成するため、本発明の第１の観点にかかる熱源設備制御装置は、
１台以上の空調設備に複数の配管系統を通じて熱源水を供給する複数の熱源設備を制御する熱源設備制御装置であって、
前記１台以上の空調設備から前記空調設備の空調負荷を示す空調負荷情報を受信する空調負荷受信手段と、
前記空調負荷受信手段が受信した前記空調負荷情報の示す空調負荷と前記空調設備の空調能力と各熱源設備の動作特性とに基づいて、前記空調設備の空調能力が前記空調負荷受信手段により受信された前記空調負荷情報の示す空調負荷と同等となり且つ前記熱源設備全体の運転負荷のうち少なくとも１つが最小値をとるように、前記熱源設備の運転態様を求める運転態様取得手段と、
前記運転態様取得手段により求められた運転態様に基づいて、前記複数の熱源設備を制御する熱源設備制御手段と、
を備えることを特徴とする。
【０００７】
本発明の第２の観点にかかる空調システムは、
第１の観点にかかる熱源設備制御装置と、
前記熱源設備制御装置に制御される複数の熱源設備と、前記複数の熱源設備から複数の配管系統を通じて熱源水が供給される１台以上の空調設備と、を備えた空調システムであって、
前記空調設備は、
前記複数の熱源設備から熱源水が供給され、空調対象の空気を該熱源水の放熱又は吸熱により冷却又は加熱する複数の熱交換コイルと、
空調設備の空調負荷を示す空調負荷情報を前記熱源設備制御装置に送信する空調負荷送信手段と、
を備え、
前記熱源設備制御装置は、
前記運転態様取得手段で取得した運転態様に基づいて、前記空調設備の熱交換コイル毎に分担すべき空調負荷を示す分担負荷情報を送信する分担負荷送信手段を備え、
前記空調設備は、
前記分担負荷送信手段により送信された前記分担負荷が変更されたことに応答して、前記熱交換コイルの吸熱量又は発熱量が前記分担負荷送信手段により送信された分担負荷と同等以上となり、且つ、空調機出口の空気温度が所定値以上変動しないように、複数の熱源設備から熱交換コイルへの供給水量を熱交換コイル毎に制御する供給水量制御手段と、
を備えることを特徴とする。
【０００８】
本発明の第３の観点にかかる熱源設備の制御方法は、
第１の観点にかかる熱源設備制御装置と、
前記熱源設備制御装置に制御される複数の熱源設備と、前記複数の熱源設備から複数の配管系統を通じて熱源水が供給される１台以上の空調設備と、を備えた空調システムであって、
前記空調設備は、
前記複数の熱源設備から熱源水が供給され、空調対象の空気を該熱源水の放熱又は吸熱により冷却又は加熱する複数の熱交換コイルと、
空調設備の空調負荷を示す空調負荷情報を前記熱源設備制御装置に送信する空調負荷送信手段と、
を備え、
前記熱源設備制御装置は、
前記運転態様取得手段で取得した運転態様に基づいて、前記空調設備に運転させる熱交換コイルを切り替えさせる切替信号を送信する切替信号送信手段を備え、
前記空調設備は、
熱交換コイルの出口の空気温度の目標値を設定する目標値設定手段と、
熱交換コイルの出口の空気温度を測定する出口空気温度測定手段と、
前記切替信号を受信したことに応答して、前記目標値設定手段により設定された切替対象でない熱交換コイルの目標値を、前記目標値設定手段により設定された切替対象の熱交換コイルの目標値とし、前記目標値設定手段により設定された切替対象でない熱交換コイルの目標値を所定値とする切替時目標値設定手段と、
空調機出口の空気温度が所定値以上変動せず、且つ、前記目標値設定手段又は前記切替時目標値設定手段により設定された目標値と前記出口空気温度測定手段により測定された空気温度とが等しくなるように、複数の熱源設備から熱交換コイルへの供給水量を熱交換コイル毎に制御する供給水量制御手段
を備えることを特徴とする
【０００９】
前記運転態様は、運転状態又は停止状態或いは運転時の出力値であっても良い。
【００１０】
本発明の第４の観点にかかる空調システムの制御方法は、
１台以上の空調設備に複数の配管系統を通じて熱源水を供給する複数の熱源設備を制御する熱源設備の制御方法であって、
前記１台以上の空調設備から前記空調設備の空調負荷を示す空調負荷情報を受信する空調負荷受信ステップと、
前記空調負荷受信ステップが受信した前記空調負荷情報の示す空調負荷と前記空調設備の空調能力と各熱源設備の消費エネルギー量、運転コスト又は二酸化炭素排出量とに基づいて、前記空調設備の空調能力が前記空調負荷受信手段により受信された前記空調負荷情報の示す空調負荷と同等となり、且つ前記熱源設備全体の運転負荷のうち少なくとも１つが最小値をとるように、前記熱源設備の運転態様を求める運転態様取得ステップと、
前記運転態様取得ステップにより求められた運転態様に基づいて、前記複数の熱源設備を制御する熱源設備制御ステップと、
を備えることを特徴とする。
【００１１】
本発明の第５の観点にかかる空調システムの制御方法は、
第１の観点にかかる熱源設備制御装置と、前記熱源設備制御装置に制御される複数の熱源設備と、前記複数の熱源設備から複数の配管系統を通じて熱源水が供給される、１台以上の空調設備と、
を備えた空調システムの制御方法であって、
前記空調設備は、
前記熱交換コイル毎に前記複数の熱源設備のいずれか１つから熱源水が供給され、空調対象の空気を該熱源水の放熱又は吸熱により冷却又は加熱する複数の熱交換コイルを備え、
前記空調設備により、
空調設備の空調負荷を示す空調負荷情報が前記熱源設備制御装置に送信される空調負荷送信ステップと、
前記熱源設備制御装置により、
前記運転態様取得ステップで取得された運転態様に基づいて、熱交換コイル毎に分担すべき空調負荷が示す分担負荷情報が送信される分担負荷信号送信ステップと、
前記空調設備により、
前記分担負荷送信ステップで送信された前記分担負荷が変更されたことに応答して、前記熱交換コイルの吸熱量又は発熱量が前記分担負荷送信ステップで送信された分担負荷と同等となり、且つ、空調機出口の空気温度が所定値以上変動しないように、複数の熱源設備から熱交換コイルへの供給水量が熱交換コイル毎に制御される供給水量制御ステップと、
を備えることを特徴とする。
【発明の効果】
【００１２】
本発明によれば、複数の熱源設備を効率的に運転する熱源設備の制御装置及びその制御方法を実現することができる。
また、室内温度や湿度を急激に変動させずに、熱源水の供給水量を制御する空調システム及びその制御方法を実現することができる。
【発明を実施するための最良の形態】
【００１３】
［第１実施形態］
以下、本発明の実施の形態に係る空調システムの構成について説明する。この空調システムは、中央管理センター１００と、複数の熱源（Ｃｔ、Ｓｔ）と、１台以上の空調設備２００と、から構成される。そして、複数の熱源から複数の配管系統を通じて１台以上の空調設備２００に熱源水が供給される。例えば、図１に示すように、セントラル熱源Ｃｔ、サテライト熱源Ｓｔ１、Ｓｔ２、空調設備１、２、３（２００）を設け、セントラル熱源Ｃｔは空調設備１、２、３（２００）に熱源水を供給し、サテライト熱源Ｓｔ１は、空調設備１、２（２００）に熱源水を供給し、サテライト熱源Ｓｔ２は空調設備３（２００）に熱源水を供給する。
【００１４】
中央管理センター１００は、各空調設備２００に設置された設備や機器を監視又は制御するための施設であり、熱源設備制御装置４０を備える。
【００１５】
熱源設備制御装置４０は、セントラル熱源Ｃｔ及び１以上のサテライト熱源Ｓｔを制御するための装置であり、ＣＰＵ(Central Processing Unit)１０とＲＡＭ(Random Access Memory)２０とＲＯＭ(Read Only Memory)３０とを備える。熱源設備制御装置４０は、各空調設備２００から空調負荷を示す空調負荷情報を受信し、熱源設備Ｃｔ、Ｓｔの運転を開始又は停止させるための運転信号又は停止信号と、熱源設備を所定の出力で運転させるための出力の設定値と、を各熱源設備Ｃｔ、Ｓｔに送信する。また、各空調設備２００にその設備に設けられている各熱交換コイルの分担負荷を示す分担負荷情報を送信する。ここで、分担負荷とは、空調設備２００の各コイルが分担すべき空調負荷である。即ち、各熱交換コイルは、それぞれ空調設備２００に通気される空気と、分担負荷に相当する値の熱量を交換する必要がある。例えば、各空調設備２００には、熱交換コイルが複数設けられているが、これらの熱交換コイル１つの熱交換能力では空調負荷以上とならない場合、２つ以上の熱交換コイルを動作させ、各コイルに空調負荷の１部を分担させる。例えば、空調設備２００に熱交換コイルＣｃ、Ｃｓの２つが設けられ、この２つのコイルの熱交換能力のみを空調機１５０の空調能力とする場合を考える。空調設備２００の空調負荷がＱｃであるとき、熱源設備制御装置４０は下記の（数１）の関係式が成立し、且つ熱交換コイルＣｃ、Ｃｓの各熱交換能力以下となるような、分担負荷Ｑｃｃ、Ｑｃｓを求め、これらの分担負荷を示す分担負荷情報を送信する。
Ｑｃ＝Ｑｃｃ＋Ｑｃｓ……（数１）
【００１６】
ＣＰＵ１０は、ＲＯＭ３０に格納されたプログラムを読み出して実行する。ＲＡＭ２０は、ＣＰＵ１０のワークエリアとして機能する。ＲＯＭ３０は後述する運転方法取得処理を含む、中央管理センター１００全体の制御を行うプログラムと、熱源設備データベースと、空調設備データベースと、を格納する。
【００１７】
熱源設備データベースは、設備内の各機器の運転負荷（広い意味での負荷：消費エネルギー量、運転コスト、環境コスト（二酸化炭素排出量等））及び熱源設備の発生する熱量に関する情報を熱源設備ごとに格納したものである。例えば、セントラル熱源Ｃｔ、サテライト熱源Ｓｔをそれぞれ定格状態で運転した場合の消費エネルギー量、運転コスト、二酸化炭素排出量等の負荷の値を格納する。所定の運転条件における運転負荷は、これらの定格値に基づいて算出する。これらの情報は、後述する運転方法判別処理で、所定の冷熱又は温熱を発生させる際に各熱源Ｃｔ、Ｓｔの運転負荷（消費エネルギー量、運転コスト又は二酸化炭素排出量等）を算出するために使用される。
【００１８】
空調設備データベースは、空調設備２００の空調能力（ｋＷ）の特性に関する情報を、空調設備ごとに格納する。この情報は、空調設備２００に供給される熱源水の水温、水量の変化に対する空調設備２００の熱交換能力の変化を求めるために使用される。
【００１９】
サテライト熱源Ｓｔ及びセントラル熱源Ｃｔは、電力、ガス、地域冷熱源、各種の排熱などをエネルギー源として冷熱又は温熱を発生する熱源設備であり、この冷熱又は温熱により冷却又は加熱した熱源水を各空調設備２００に供給する。中央管理センター１００の近くにはセントラル熱源Ｃｔが設置され、空調対象域の近くにはサテライト熱源Ｓｔが設けられており、各空調設備２００には、セントラル熱源Ｃｔからの熱源水とサテライト熱源Ｓｔからの熱源水とがそれぞれ供給される。そして、これらの熱源は熱源設備制御装置４０の制御により、運転又は停止し、或いは設定値に従って出力を増減させる。
【００２０】
空調設備２００は、空調機や、これに関連する各種の機器を備えた設備であり、例えば、図２に示すように、空調機１５０と、送風機Ｂ１と、空調機入口空気温度計Ｔ１と、熱源水制御弁Ｖｃ、Ｖｓと、制御器１４０と、から構成される。
【００２１】
空調機１５０は、取り込んだ空気を除湿及び冷却又は加熱処理し、処理後の空気を空調対象の施設へ供給する。加熱や冷却には、加熱又は冷却した熱源水（温水又は冷水）を供給する熱交換コイルやヒータ等の熱交換器を使用する。例えば、空調機１５０は、冷却した熱源水（冷水）を供給する熱交換コイルＣｃ、Ｃｓと、熱交換コイル出口空気温度計Ｔ２、Ｔ３と、を備える。
【００２２】
熱交換コイルＣｃ、Ｃｓは、空調機１５０に取り込まれた空気を加熱又は冷却する熱交換コイルである。熱交換コイルＣｃにはセントラル熱源Ｃｔからの熱源水が通水され、熱交換コイルＣｓにはサテライト熱源Ｓｔからの熱源水が通水される。そして、空調機入口に近い方から、熱交換コイルＣｃ、熱交換コイルＣｓの順で配置し、空調機入口から吸入された空気が熱交換コイルＣｃに通気され、熱交換コイルＣｃに通気された空気が熱交換コイルＣｓに通気され、空調機１５０から送出されるように構成する。
【００２３】
空調機入口空気温度計Ｔ１は、空調機１５０に取り込まれた空気の温度Ｔｉを測定し、測定値を示す測定値情報を制御器１４０に送信する。
【００２４】
熱交換コイル出口空気温度計Ｔ２は熱交換コイルＣｃと熱交換コイルＣｓとの間に設置され、熱交換コイル出口空気温度計Ｔ３は、熱交換コイルＣｓと空調機出口との間に設置される。熱交換コイル出口空気温度計Ｔ２、Ｔ３は、それぞれ熱交換コイルＣｃ、Ｃｓの出口の空気の温度である出口空気温度Ｔｏ２（℃）、Ｔｏ３（℃）を測定する。これらの温度計Ｔ２、Ｔ３は、測定値を示す測定値情報を制御器１４０に送信する。
【００２５】
送風機Ｂ１は、空調装置１５０により除湿又は冷却、加熱処理がなされた空調後の空気を、空調対象の空間に供給するための送風機である。
【００２６】
熱源水制御弁Ｖｃ、Ｖｓは、それぞれ熱交換コイルＣｃ、Ｃｓに供給する熱源水（例えば、冷水）の水量を制御するための制御弁である。これらの制御弁は、制御器１４０から、弁を開けさせるための開信号又は弁を閉じさせるための閉信号を受信し、受信した信号に従って弁を所定値開閉させる。
【００２７】
制御器１４０は、空調機１５０と熱源水制御弁Ｖｃ、Ｖｓを制御するための装置であり、ＣＰＵ１１０とＲＡＭ１２０とＲＯＭ１３０とを備える。そして、制御器１４０は、空調機入口空気温度計Ｔ１と、熱交換コイル出口空気温度計Ｔ２、Ｔ３と、から測定値を示す測定値情報を受信し、受信した測定値に基づいて熱源水制御弁Ｖｃ、Ｖｓに開信号又は閉信号を送信する。
【００２８】
ＣＰＵ１１０とＲＡＭ１２０とＲＯＭ１３０との構成は、ＣＰＵ１０とＲＡＭ２０とＲＯＭ３０と同様である。但し、ＲＯＭ１３０は、空調機１５０を制御するための制御プログラムと、空気の空気密度ρａ（ｋｇ／ｍ３）と、空気の比熱ｃｐａ（ｋＪ／ｋｇ・Ｋ）と、熱交換コイル出口空気温度初期設定値Ｔｓｉ（℃）とを格納する。熱交換コイル出口空気温度初期設定値Ｔｓｉは、空調設備２００に設けられた熱交換コイルＣｃ、Ｃｓの出口の空気温度の初期値として設定する値である。
【００２９】
上記の構成により、熱源設備制御装置４０は、空調負荷に基づいて各熱源設備の運転方法を求め、セントラル熱源Ｃｔ及び１以上のサテライト熱源Ｓｔを制御する。また、熱源設備制御装置４０は、求めた運転方法に基づいて制御器１４０に各熱交換コイルの分担負荷を示す分担負荷情報を送信する。受信した分担負荷に基づいて、制御器１４０は、熱源水制御弁Ｖｃ、Ｖｓを開閉することで各熱交換コイルＣｃ、Ｃｓへの熱源水の供給量を制御する。
【００３０】
次に熱源設備制御装置４０の動作について詳細に説明する。熱源設備制御装置４０は、ＲＯＭ３０から、中央管理センター１００に設置された設備や機器を制御するためのプログラムをＲＯＭ３０から読み出して、繰り返し実行する。そして、この制御処理のメインフローの中で図３に示す、空調・熱源設備制御処理を実行する。
【００３１】
空調・熱源設備制御処理では、ＣＰＵ１０はまず、各空調設備２００の制御器１４０から空調負荷（ｋＷ）を示す空調負荷情報を受信し、ＲＡＭ２０に格納する（ステップＳ１１）。
【００３２】
そして、ＣＰＵ１０は、各空調設備２００に設けられた熱交換コイルＣｃ又はＣｓを単独で運転させた場合に、運転させた熱交換コイルの熱交換能力が空調負荷と同等となるには、何度の熱源水をどのくらいの水量で熱交換コイルに供給すればよいかを求め、求めた熱源水の水温（℃）と水量（ｍ３／ｓ）とを、ＲＡＭ２０に格納する（ステップＳ１３）。
【００３３】
ＣＰＵ１０は、各熱源設備の運転方法を求める運転方法取得処理を開始する（ステップＳ１５）。この処理の詳細については後述する。
【００３４】
ＣＰＵ１０は、ＲＡＭ２０から求められた運転方法を読み出し、各熱源設備Ｃｔ、Ｓｔに運転信号又は停止信号と設定出力を示す情報を送信する（ステップＳ１７）。ＣＰＵ１０は、読み出された運転方法から、熱源設備が供給する水温（℃）や水量（ｍ３／ｓ）を求める。また、ＣＰＵ１０は、この熱源水の水温（℃）と水量（ｍ３／ｓ）に基づき、熱源水が供給される各熱交換コイル（Ｃｃ、Ｃｓ）の熱交換能力（ｋＷ）を求める。ＣＰＵ１０は、各空調設備２００の分担負荷（ｋＷ）が各熱交換コイルの熱交換能力（ｋＷ）以下となるように、各コイルの分担負荷（Ｑｃｃ、Ｑｃｓ）（ｋＷ）を求め、各空調設備２００に分担負荷（ｋＷ）を示す分担負荷情報を送信する（ステップＳ１９）。
【００３５】
空調・熱源設備制御処理の中で呼び出される運転方法取得処理を図４に示す。この運転方法取得処理は、所定の温度の熱源水を各空調設備２００に供給しつつ、空調システム全体を効率的に制御するには、どの熱源設備を運転又は停止させればよいか、或いは熱源設備の出力をピーク時に対して何％に設定すればよいかについて判別する処理である。
【００３６】
ＣＰＵ１０は、ＲＡＭ２０から、各空調設備２００の熱交換コイルＣｃ又はＣｓを単独で運転させた場合に必要な熱源水の水温及び水量に基づき、その温度の熱源水を供給するのに必要とする必要熱量Ｑｎ（ｋＷ）を熱源設備ごとに算出する。熱源設備Ｃｔ、Ｓｔのうち、複数の空調設備２００に熱源水を供給するものについては、必要熱量Ｑｎは各空調設備に対応した複数の値が求められる。この場合、ＣＰＵ１０はそれらの和を、セントラル熱源Ｃｔの必要熱量Ｑｎとする。ＣＰＵ１０は、ＲＯＭ３０内の熱源設備データベースから各熱源設備の定格発生熱量を読み出し、この発生熱量が、算出した必要熱量Ｑｎと同等となる熱源設備の組み合わせを全て求める。（ステップＳ５１）。
【００３７】
ＣＰＵ１０は、ＲＯＭ３０内の熱源設備データベースから各熱源設備の消費エネルギー量、運転コスト、二酸化炭素排出量を示す情報を読み出し、求められた組み合わせごとに空調システム全体の消費エネルギー量、運転コスト、二酸化炭素排出量を算出する。このとき、定格の発生熱量が必要熱量Ｑｎを超えている場合は、これらの消費エネルギー量等は、発生熱量を定格に対して何％にすれば必要熱量Ｑｎと等しくなるかを求め、この発生熱量に対応した値に修正した上で算出する（ステップＳ５３）。
【００３８】
そして、ＣＰＵ１０は算出された消費エネルギー量、運転コスト、二酸化炭素排出量を比較し、消費エネルギー量が最小となる組み合わせを抽出し、それらの消費エネルギー量最小フラグＦｅをオンにしてＲＡＭ２０に格納する（ステップＳ５５）。続いて、ＣＰＵ１０は運転コストが最小となる組み合わせを抽出し、運転コスト最小フラグＦｒをオンにしてＲＡＭ２０に格納する（ステップＳ５７）。ＣＰＵ１０は二酸化炭素排出量が最小となる組み合わせも抽出し、二酸化炭素排出量最小フラグＦｃをオンにしてＲＡＭ２０に格納する（ステップＳ５９）。
【００３９】
ＣＰＵ１０は、組み合わせごとにフラグＦｅ、Ｆｒ、Ｆｃのうちオンとなっているフラグの個数を比較し、個数の最も多い組み合わせを求める。ここで、複数の組み合わせが該当する場合、消費エネルギー量、運転コスト、二酸化炭素排出量の順で優先して組み合わせを求め、ＲＡＭ２０に格納する。フラグＦｅ、Ｆｒ、Ｆｃはクリアする（ステップＳ６１）。ステップＳ６１の後、ＣＰＵ１０は、熱源・空調設備制御処理に戻る。
【００４０】
上記の構成をとることにより、熱源設備制御装置４０は各空調設備２００から空調負荷を示す空調負荷情報を受信し、受信した空調負荷を処理できる各熱源設備の運転方法の中から、消費エネルギー量、運転コスト、二酸化炭素排出量のうちの少なくとも１つが最小となる運転方法を算出することができる。算出された運転方法に基づき、熱源設備制御装置４０は各熱源設備及び各空調設備２００を制御する。
【００４１】
次に、制御器１４０の動作について詳細に説明する。ユーザは、制御器１４０を動作させ、空調設備２００の空調対象とする空間の室内温度（℃）や湿度等を設定する。制御器１４０は、空調設備２００全体を制御するためのプログラムをＲＯＭ１３０から読み出して実行することで空調設備２００を制御する。この制御プログラムの中で読み出す供給水量制御処理について詳細に説明する。ＣＰＵ１１０は、制御器１４０が起動してからユーザにより室内温度設定値が設定された場合、或いは、室内温度の初期の設定値が定められている場合、図５に示す、供給水量制御処理を実行する。供給水量制御処理は、空調機出口温度（熱交換コイルＣｓの出口空気温度）が急激に変動しないように、空調負荷に応じて各熱交換コイルの供給水量を制御する処理である。
【００４２】
供給水量制御処理について詳細に説明する。ＣＰＵ１１０は、空調機出口の空気温度と風量設定値Ｖｍ（ｍ３／ｓ）とを算出し、ＲＡＭ１２０に格納する（ステップＳ１０１）。ここで、熱交換コイルＣｓと空調機出口との間に加熱コイルなどの他の熱交換器が設置されて運転している場合、これらの熱交換器の発生熱量も考慮する必要があるが、説明を容易にするため、本実施形態では、空調機出口との間に加熱コイルなどの熱交換器が設置されていないか又は設置されていても暖房が不要等の理由で動作させない場合を考える。このため、熱交換コイルＣｓの出口の空気温度は空調機１５０の出口の空気温度とほぼ等しくなる。そこで、ＣＰＵ１１０は、空調機出口の空気温度の目標値として、熱交換コイルＣｓの出口の空気温度の目標値Ｔｔｓ（℃）を算出の対象とする。熱交換コイルＣｓの出口空気温度目標値Ｔｔｓ（℃）は、空調対象の空間の空調負荷や空気搬送に伴う熱ロスなどにより定まる空調効率を考慮した値とする。例えば、冷却した熱源水（冷水）が供給される熱交換コイルＣｓに供給され、熱交換コイルＣｓが空気を冷却する場合、熱交換コイルＣｓの出口空気温度目標値Ｔｔｓ（℃）は室内温度の設定値よりも低い値とする。
【００４３】
続いて、ＣＰＵ１１０は、空調機入口空気温度計Ｔ１から空調機入口空気温度Ｔｉを受信し、ＲＡＭ１２０から熱交換コイルＣｓの出口空気温度目標値Ｔｔｓ（℃）と、風量設定値Ｖｍ（ｍ３／ｓ）とを読み出し、ＲＯＭ１３０から空気密度ρａ（ｋｇ／ｍ３）と空気の比熱ｃｐａ（ｋＪ／ｋｇ・Ｋ）とを読み出し、これらの値に基づいて空調負荷Ｑｃ（ｋＷ）を取得し、取得した空調負荷Ｑｃ（ｋＷ）を示す空調負荷情報を熱源設備制御装置４０に送信し、ＲＡＭ１２０に格納する（ステップＳ１０３）。例えば、空調負荷が顕熱負荷のみの場合、空調負荷Ｑｃ（ｋＷ）を下記の（数２）により算出する。
Ｑｃ＝Ｖｍ×ρａ×ｃｐａ×（Ｔｉ−Ｔｔｓ）……（数２）
【００４４】
熱源設備制御装置４０は、ＣＰＵ１１０がステップＳ１０３で送信した空調負荷Ｑｃ（ｋＷ）を示す空調負荷情報を受信し、受信した空調負荷に基づいて、上述した運転方法取得処理により熱源設備を制御する。また、熱源設備制御装置４０は、各空調設備２００に各熱交換コイル（Ｃｃ、Ｃｓ）の分担負荷Ｑｃｃ、Ｑｃｓ（ｋＷ）を示す分担負荷情報を送信する（ステップＳ１９）。
【００４５】
ＣＰＵ１１０は、分担負荷Ｑｃｃ、Ｑｃｓ（ｋＷ）を示す分担負荷情報を受信し、ＲＡＭ１２０に格納する（ステップＳ１０５）。ＣＰＵ１１０は、受信した分担負荷に基づいて、いずれかの分担負荷が前回受信時と比較して変更されたか否かを判別する（ステップＳ１０７）。ここで、制御器１４０が起動してから最初に供給水量制御処理が実行された場合など、ＲＡＭ１２０に前回時の情報がないときは変更されたものと判別する。いずれかの分担負荷（Ｑｃｃ、Ｑｃｓ）も変更されていない場合（ステップＳ１０７：ＮＯ）、ＣＰＵ１１０は、メインフローに処理を移行する。
【００４６】
いずれかの分担負荷が変更された場合（ステップＳ１０７：ＹＥＳ）、ＣＰＵ１１０は、受信した分担負荷Ｑｃｃ、Ｑｃｓ（ｋＷ）に基づき、熱交換コイルＣｃの出口空気温度目標値Ｔｔｃ、Ｔｔｓ（℃）を算出する。例えば、空調機入口空気温度計Ｔ１からコイル入口冷水温度Ｔｉを取得し、これを下記の（数３）及び（数４）に代入することで、熱交換コイルＣｃ、Ｃｓのコイル出口空気温度目標値Ｔｔｃ、Ｔｔｓ（℃）を算出し、算出した値をＲＡＭ１２０に格納する（ステップＳ１０９）。ここで、本実施形態では、熱交換コイルＣｃ、Ｃｓ以外に空調負荷を分担する熱交換器がないと仮定しているので、（数１）が成立し、Ｔｔｓ（℃）をステップＳ１０３で取得すれば、（数３）、（数４）のいずれか１つから残りのＴｔｃが算出できる。しかし、熱交換コイルＣｃ、Ｃｓ以外にも熱交換器がある場合は、（数１）が成立するとは限らない。そのときは、（数３）、（数４）両方を使用して、Ｔｔｃ、Ｔｔｓ（℃）を算出する必要がある。
Ｑｃｃ＝Ｖｍ×ρａ×ｃｐａ×（Ｔｉ−Ｔｔｃ）……（数３）
Ｑｃｓ＝Ｖｍ×ρａ×ｃｐａ×（Ｔｔｃ−Ｔｔｓ）……（数４）
【００４７】
ＣＰＵ１１０は、熱交換コイル出口空気温度計Ｔ２、Ｔ３から熱交換コイルの出口空気温度測定値Ｔｏ２、Ｔｏ３（℃）を取得し、出口空気温度目標値Ｔｔｃ、Ｔｔｓ（℃）をＲＡＭ１２０から読み出し、熱交換コイルＣｓの出口空気温度の測定値と目標値とが等しいか否かを判別する（ステップＳ１１１）。熱交換コイルＣｓの出口空気温度の測定値と目標値とが等しくなければ（ステップＳ１１１：ＮＯ）、ＣＰＵ１１０は、各熱交換コイルの出口空気温度の測定値と目標値とを比較し、目標値に向けて各熱交換コイルに供給する水量の増減値を求め、ＲＡＭ１２０内に格納する（ステップＳ１１３）。例えば、測定値と目標値との偏差を求め、この偏差に比例した出力と、偏差の積分に比例する出力と、偏差の微分に比例した出力との和を求める、いわゆるＰＩＤ制御方法に基づいて、供給水量の増減値を算出する。
【００４８】
ＣＰＵ１１０は、ＲＡＭ１２０から増減すべき水量を読み出し、この値に応じて熱源水制御弁Ｖｃ、Ｖｓを開閉させることで、各熱交換コイルへの熱源水の供給水量を増減させる（ステップＳ１１５）。ステップＳ１６１の後、ＣＰＵ１１０は、ステップＳ１１１の処理に戻る。
【００４９】
そして、ＣＰＵ１１０は、全ての熱交換コイルの出口空気温度測定値Ｔｏ２、Ｔｏ３と出口空気目標値Ｔｔｃ、Ｔｔｓ（℃）とが等しい場合（ステップＳ１１１：ＹＥＳ）、ＣＰＵ１１０は、メインフローに処理を移行する。
【００５０】
上記の処理により、熱源設備制御装置４０は各空調設備２００の空調負荷に基づいて、前記熱源設備の消費エネルギー量、運転コスト又は二酸化炭素排出量の少なくとも１つが最小値をとるように、前記熱源設備の運転方法を取得し（ステップＳ１５）、取得した運転方法に従って各熱源設備（Ｃｔ、Ｓｔ）を制御する（ステップＳ１７）。また、各空調設備２００に各コイルの分担負荷を示す分担負荷情報を送信する（ステップＳ１９）。
【００５１】
一方、制御器１４０は、ユーザの設定した室内温度の設定値（℃）と空調機入口空気温度Ｔｉ（℃）とに基づいて空調負荷Ｑｃ（ｋＷ）を算出し、熱源設備制御装置４０に空調負荷を示す空調負荷情報を送信する（ステップＳ１０３）。制御器１４０は、分担負荷Ｑｃｃ、Ｑｃｓ（ｋＷ）を示す分担負荷情報を受信する（ステップ１０５）。これらの分担負荷が変更された場合、制御器１４０は、分担負荷情報の示す分担負荷に基づいて、各熱交換コイルＣｃ、Ｃｓの出口空気温度の目標値を求める（ステップＳ１０９）。そして、熱交換コイルＣｓの出口空気温度の目標値と測定値が等しくなるように、徐々に各熱交換コイルへの熱源水の供給水量を増減する（ステップＳ１１５）。
【００５２】
［第２実施形態］
次に、第２実施形態について、説明する。この第２実施形態の空調システムの構成は、第１実施形態と同様である。但し、空調設備２００は熱交換コイルＣｃ、Ｃｓを同時には運転しない。また、熱源設備制御装置４０は、負荷分担を示す分担負荷情報の代わりに運転する熱交換コイルを切り替えさせる切替信号を空調設備２００に送信する。さらにＲＯＭ１３０は、停止対象コイル出口空気温度目標値Ｔｔｅ（℃）を格納する。停止対象コイル出口空気温度目標値Ｔｔｅ（℃）は、切り替えた際、切替対象でない熱交換コイルの出口空気温度の目標値として設定する値である。
【００５３】
第２実施形態にかかる熱源設備制御装置４０の実行する空調・熱源設備制御処理を図６に示す。熱源設備制御装置４０は、第１実施形態では空調設備２００に分担負荷情報を送信していたが（ステップＳ１９）、第２実施形態では、運転する熱交換コイルを切り替えさせる切替信号を空調設備２００に送信する（ステップＳ１９ａ）。例えば、熱源設備制御装置４０は当初セントラル熱源Ｃｔのみ運転させていたが、排熱が発生し、この排熱を使用するサテライト熱源に切り替えた方が、より運転コストが少なくなる場合、サテライト熱源を運転させる（ステップＳ１７）。そして、熱源設備制御装置４０は、運転させるコイルを熱交換コイルＣｃから、サテライト熱源より熱源水が供給される熱交換コイルＣｓに切り替えさせる切替信号を空調設備２００に送信する（ステップＳ１９ａ）。
【００５４】
そして、第２実施形態にかかる制御器１４０の実行する供給水量制御処理を図７に示す。ＣＰＵ１１０は、制御器１４０が起動してから最初に供給水量制御処理を実行する場合、熱交換コイルＣｃ、Ｃｓのうち、予め定められたいずれかの熱交換コイルを運転させる。そして、室内温度の設定値に基づき、空調機出口の空気温度、風量設定値Ｖｍ（ｍ３／ｓ）を算出する。説明を容易にするため、運転中のコイルと空調機出口との間には、他に熱交換器がないものとする。ＣＰＵ１１０は空調機の出口空気温度として、運転中の熱交換コイル（Ｃｃ又はＣｓ）の出口空気温度目標値（Ｔｔｃ又はＴｔｓ）（℃）を算出し、ＲＡＭ１２０に格納する（ステップＳ１０１ａ）。
【００５５】
ＣＰＵ１１０は、運転中のコイルの出口空気温度目標値（Ｔｔｃ又はＴｔｓ）をＲＡＭ１２０から読み出し、この値に基づいて空調負荷Ｑｃ（ｋＷ）を算出し、算出した空調負荷Ｑｃ（ｋＷ）を示す空調負荷情報を熱源設備制御装置４０に送信し、ＲＡＭ１２０に格納する（ステップＳ１０３ａ）。例えば上記の（数３）のＴｔｓ（℃）に、運転中のコイルの出口空気温度Ｔｔｃ又はＴｔｓ（℃）を代入して空調負荷Ｑｃを算出する。
【００５６】
熱源設備制御装置４０は、ＣＰＵ１１０がステップＳ１０３で送信した空調負荷Ｑｃを示す空調負荷情報を受信し、受信した空調負荷Ｑｃ（ｋＷ）に基づいて、上述した運転方法取得処理により熱源設備を制御する。また、熱源設備制御装置４０は、必要があれば、各空調設備２００に各熱交換コイル（Ｃｃ、Ｃｓ）を切り替えさせる切替信号を送信する（ステップＳ１９ａ）。
【００５７】
ＣＰＵ１１０は、切替信号を受信したか否かを判別する（ステップＳ１０５ａ）。切替信号を受信したのであれば（ステップＳ１０５ａ：ＹＥＳ）、ＣＰＵ１１０は、切替対象の熱交換コイルの出口空気温度目標値（Ｔｔｃ又はＴｔｓ）（℃）を、切替対象でない熱交換コイルの出口空気温度目標値とする。また、停止対象コイル出口空気温度目標値Ｔｔｅ（℃）をＲＯＭ１３０から読み出して、この値を切替対象でない熱交換コイルの出口空気温度目標値として設定する（ステップＳ１０７ａ）。
【００５８】
切替信号を受信していない場合（ステップＳ１０５ａ：ＮＯ）又はステップＳ１０７ａの後、ＣＰＵ１１０は、ステップＳ１０９〜Ｓ１１３を実行する。これらの処理の内容は、第１実施形態にかかるステップＳ１０９〜Ｓ１１３の処理の内容と同様であるから説明を省略する。
【００５９】
上記の処理により、熱源設備制御装置４０は各空調設備２００の空調負荷に基づいて、前記熱源設備の消費エネルギー量、運転コスト又は二酸化炭素排出量の少なくとも１つが最小値をとるように、前記熱源設備の運転方法を取得し（ステップＳ１５）、取得した運転方法に従って各熱源設備（Ｃｔ、Ｓｔ）を制御する（ステップＳ１７）。また、各空調設備２００に運転するコイルを切り替えさせる切替信号を送信する（ステップＳ１９ａ）。
【００６０】
一方、制御器１４０は、室内温度の設定値（℃）と空調機入口空気温度Ｔｉ（℃）とに基づいて空調負荷Ｑｃ（ｋＷ）を算出し、この空調負荷を示す空調負荷情報を熱源設備制御装置４０に送信する（ステップＳ１０３ａ）。制御器１４０は、切替信号を受信すると（ステップ１０５ａ：ＹＥＳ）。切替対象コイルの出口空気温度目標値（Ｔｔｃ又はＴｔｓ）（℃）を、切替対象でない熱交換コイルの出口温度目標値（Ｔｔｃ又はＴｔｓ）（℃）とし、切替対象でないコイルの出口空気温度目標値（Ｔｔｃ又はＴｔｓ）（℃）は、所定の値としてＲＡＭ１２０に格納する（ステップＳ１０７ａ）。そして、各コイルの出口空気温度の目標値と測定値が等しくなるように、徐々に各熱交換コイルへの熱源水の供給水量を増減する（ステップＳ１１３）。
【００６１】
第１実施形態にかかる空調システムでは、空調負荷Ｑｃ（＝Ｑｃｃ＋Ｑｃｓ）（ｋＷ）が変更された場合、分担負荷Ｑｃｃ、Ｑｃｓ（ｋＷ）も変更されるので、熱源設備制御装置４０は、この場合も変更後の分担負荷を改めて送信する必要がある。これに対し、第２実施形態に係る空調システムは第１実施形態と異なり、空調負荷が変更されても、運転負荷が変更されない限り、切替信号を送信する必要がなく、熱源設備制御装置４０の負担は軽減される。
【００６２】
第２実施形態に係る制御器１４０が、熱交換コイルＣｃ、Ｃｓに対応する熱源水制御弁Ｖｃ、Ｖｓの制御を行った一例を図８及び図９に示す。図８は、熱交換コイルＣｃ、Ｃｓの切り替えを行った場合の各熱交換コイルＣｃ、Ｃｓへの熱源水の供給水量の変化と、各熱交換コイルの出口空気温度測定値とを示したものである。図９は、熱交換コイルの切り替えを行った場合の各熱交換コイルの出口空気温度の測定値（Ｔｏ２、Ｔｏ３）及び設定値（Ｔｔｃ、Ｔｔｓ）、空調機入口空気温度（Ｔｉ）、室内温度の設定値を示したものである。ここで、空調機１５０は空調対象の空間から空気を取り込む構成としているので、空調機入口温度（Ｔｉ）は、空調対象の室内温度とほぼ等しい。
【００６３】
室内温度の設定値が２３℃である場合、ＣＰＵ１１０は、この室内温度（空調機入口温度Ｔｉ）に基づき、設定すべき空調機出口空気温度として１８℃を算出する。そして、ＣＰＵ１１０は、予め定められた熱交換コイルＣｃを運転させ、この熱交換コイルＣｃの出口空気温度目標値Ｔｔｃに１８℃を設定する（ステップＳ１０１ａ）。
【００６４】
ＣＰＵ１１０は、出口空気温度目標値Ｔｔｃと空調機入口空気温度Ｔｉ（℃）に基づいて（数２）より空調負荷Ｑｃ（ｋＷ）を算出し、この空調負荷を示す空調負荷情報を熱源設備制御装置４０に送信する（ステップＳ１０３ａ）。熱源設備制御装置４０は、最初は、セントラル熱源Ｃｔを運転させ（ステップＳ１７）、セントラル熱源Ｃｔからの熱源水が熱交換コイルＣｃに供給される。
【００６５】
制御器１４０は、運転させる熱交換コイルＣｃの出口空気温度目標値Ｔｔｃ（１８℃）と、この熱交換コイルＣｃの出口空気温度測定値Ｔｏ２とが等しくなるまで、ＰＩＤ制御等により、熱源水制御弁Ｖｃを徐々に開けさせる（ステップＳ１１３）。
【００６６】
その後、排熱が発生し、この排熱を用いるサテライト熱源Ｓｔを熱源水の供給源とした方が空調システム全体としては運転負荷が最小ですむようになった。そこで、熱源設備制御装置４０は、熱源水の供給源をセントラル熱源Ｃｔからサテライト熱源Ｓｔへと切り替えさせる切替信号を制御器１４０に送信する（ステップＳ１９ａ）。
【００６７】
制御器１４０は、空調機１５０の運転を開始させてから後の測定点Ｐ１（分）の時点で熱源水の供給源を切り替えさせる切替信号を受信した（ステップＳ１０５ａ：ＹＥＳ）。この時点で室内温度（空調機入口空気温度Ｔｉ）と室内温度設定値とは２３℃で一致している。この２３℃の空気は運転中の熱交換コイルＣｃにより、目標温度１８℃まで冷却される。このため、熱交換コイルＣｃの出口空気温度の測定値は目標値と同じく１８℃となる。一方、停止中の熱交換コイルＣｓの出口空気温度目標値は初期値２６℃が設定される。また、この熱交換コイルＣｓの出口空気温度測定値は、熱交換コイルＣｃにより冷却された空気が通過するから熱交換コイルＣｃの出口空気温度測定値と同じく１８℃である。
【００６８】
切替信号を受信したことに応答して、制御器１４０は、切替対象の熱交換コイルＣｓの目標温度Ｔｔｓを、切替対象でない熱交換コイルＣｃの出口空気温度設定値Ｔｓｃ（１８℃）と同じ値に設定する。一方、切替対象でない熱交換コイルＣｃの出口空気温度目標値Ｔｔｃは初期値（２６℃）にする（ステップＳ１０７ａ）。そして、出口空気温度の測定値が目標温度Ｔｔｃ（２６℃）、Ｔｔｓ（１８℃）に等しくなるように、各熱交換コイルへの冷却した熱源水（冷水）の供給水量を熱源水制御弁Ｖｃ、Ｖｓの開閉により少しずつ増減する（ステップＳ１１３）。図８に示すように、切替対象の熱交換コイルＣｓへの供給水量は徐々に増加し、切替対象でない熱交換コイルＣｃへの供給水量は徐々に減少する。
【００６９】
測定点Ｐ１（分）の後、切替の終了する前の時点Ｐ２（分）においては、停止させる途中の熱交換コイルＣｃの出口空気温度Ｔｏ２は、図９に示すように熱交換コイルＣｃの熱交換（冷却）能力の減少により１９℃に上昇している。一方、切替対象の熱交換コイルＣｓの冷却能力は上昇し始める。このため、熱交換コイルＣｃを通過した時点で１９℃の空気は熱交換コイルＣｓを通過した時点で１８℃となる。つまり、熱交換コイルＣｓの出口空気温度Ｔｏ３は、熱交換コイルＣｃの熱交換能力が減少しても、１８℃に維持される。
【００７０】
測定点Ｐ２（分）の後、測定点Ｐ３（分）の時点で各コイルＣｓの出口温度測定値Ｔｏ３が、出口空気温度目標温度Ｔｔｓ（１８℃）に等しくなったので（ステップＳ１０９：ＹＥＳ）、制御器１４０は、供給水量の制御を一時的に停止する。この時点で、熱交換コイルＣｃは停止しているから、この熱交換コイルＣｃの出口空気温度測定値Ｔｏ２は、空調機入口空気温度Ｔｉと同じく２３℃である。
【００７１】
そして、測定点Ｐ３（分）の後、測定点Ｐ４（分）の時点で、ユーザは室内温度の設定値を２０℃に変更した。このため、空調負荷Ｑｃが増大し、制御器１４０は熱交換コイルＣｓの出口空気温度目標値Ｔｔｓを算出し直し、１６℃に再設定した（ステップＳ１０１ａ）。
【００７２】
図８に示すように、測定点Ｐ４の後、制御器１４０は出口空気温度測定値Ｔｏ３が出口空気温度目標値Ｔｔｓと等しくなる測定点Ｐ５の時点まで、熱源水制御弁Ｖｓを開けさせる。このため、熱交換コイルＣｓへの供給水量は徐々に増加する（ステップＳ１１３）。
【００７３】
図９に示すように、Ｐ５の時点では運転中の熱交換コイルＣｓにより、空調機入口で２０℃であった空気は冷却されて、熱交換コイルＣｓの出口空気温度測定値Ｔｏ３は、出口温度目標値（Ｔｔｓ）である１６℃と等しくなる。一方、熱交換コイルＣｃの出口空気温度測定値Ｔｏ２は、熱交換コイルＣｃが停止しているため、空調機入口空気温度測定値Ｔｉと同じく２０℃である。
【００７４】
図９に示すように、空調機入口空気温度（室内温度測定値）Ｔｉは測定点Ｐ１、Ｐ２、Ｐ３の各時点で室内温度の設定値（２３℃）と等しく、熱交換コイルの切替を行ったにもかかわらず、室内温度が変動しない。このように切り替えがスムーズであるから、熱源設備制御装置４０は、平日であっても熱源水の供給源の切替を必要に応じて適宜行うことができる。このため、全体として省エネルギー化が促進される。
【００７５】
なお、熱交換コイルは２つに限らず、３つ以上設けても良い。また、加熱した熱源水（温水）を熱交換コイルに供給したり、熱交換コイルの他にヒータ等を設け、暖房負荷にも対応する空調システムとしてもよいのは勿論である。そして、熱交換コイルに限らず、ヒートポンプなど、他の熱交換器を用いても良い。
【００７６】
また、運転負荷を算出する場合、運転コスト、エネルギー消費量又は二酸化炭素排出量に限らず、ＮＯｘ（Nitrogen Oxide）やＳＯｘ（Sulfur Oxide）の排出量など、他のパラメータも考慮して運転方法を求めてもよい。分担負荷Ｑｃｃ、Ｑｃｓ、空調負荷Ｑｃの算出は、（数１）〜（数４）に限らず、他の物理量も考慮した異なる数式で算出してもよい。熱源設備や空調設備に流す熱媒体も、水や空気に限らない。
【００７７】
さらに、第１実施形態では、空調負荷Ｑｃの算出及び熱源水制御弁Ｖｃ、Ｖｓの制御を空調設備２００に設置された制御器１４０が行っているが、これらの算出、制御を熱源設備制御装置４０が行ってもよい。
【００７８】
第１実施形態の運転方法取得処理は、組み合わせを抽出し、各組み合わせのそれぞれの運転負荷を求めて比較する方法に限らず、予め、組み合わせごとに運転負荷を算出したデータテーブルを作成しておき、これにアクセスして条件を満たす運転方法を求めてもよい。また、空調設備の各機器の特性を考慮したシミュレーションモデルを作成し、各種パラメータを入力することで、組み合わせを抽出せずに、条件をみたす運転負荷を直接求める方法とすることもできる。
【００７９】
上記の実施形態では、空調設備２００に流通する空気の上流から熱交換コイルＣｃ、Ｃｓの順で配置しているが、上流からＣｓ、Ｃｃの順で配置してもよい。
【００８０】
また、運転方法取得処理（ステップＳ１５）で、熱源設備制御装置４０は、熱源Ｃｔ、Ｓｔの組み合わせを求めるとき、消費エネルギー量、運転コスト、二酸化炭素排出量の順で優先して組み合わせを求めているが（ステップＳ６１）、優先する順位は適宜変更できる。
【００８１】
さらに、上記の実施形態では、ユーザ等により室内温度が設定され、制御器１４０又は熱源設備制御装置４０は室内温度の設定値から空調機出口空気温度を設定して空調負荷を求めるが、ユーザ等により直接空調機出口空気温度が設定され、制御器１４０等が設定温度から空調負荷を求める構成とすることもできる。そして、制御器１４０等が空調機出口空気温度を設定値に制御した後、制御器１４０等が室内温度を再熱ヒータなどの他の熱交換器で制御する構成にすることもできる。また、室内温度で、出口空気温度のカスケード制御を行う構成とすることもできる。
【図面の簡単な説明】
【００８２】
【図１】本発明の第１実施形態に係る空調システムの構成図である。
【図２】本発明の第１実施形態に係る空調設備の構成図である。
【図３】本発明の第１実施形態に係る空調・熱源設備制御処理のフローチャートである。
【図４】本発明の第１実施形態に係る運転方法取得処理のフローチャートである。
【図５】本発明の第１実施形態に係る供給水量制御処理のフローチャートである。
【図６】本発明の第２実施形態に係る空調・熱源設備制御処理のフローチャートである。
【図７】本発明の第２実施形態に係る供給水量制御処理のフローチャートである。
【図８】本発明の第２実施形態に係る供給水量制御処理を行った際の空調設備の動作の一例である。
【図９】本発明の第２実施形態に係る供給水量制御処理を行った際の状態値の測定結果の一例である。
【符号の説明】
【００８３】
１０  ＣＰＵ
２０  ＲＡＭ
３０  ＲＯＭ
４０  熱源設備制御装置
１００  中央管理センター
１１０  ＣＰＵ
１２０  ＲＡＭ
１３０  ＲＯＭ
１４０  制御器
１５０  空調機
２００  空調設備
Ｃｔ  セントラル熱源
Ｓｔ  サテライト熱源
Ｂ１  送風機
Ｃｃ、Ｃｓ  熱交換コイル
Ｔ１  空調機入口空気温度計
Ｔ２、Ｔ３  熱交換コイル出口空気温度計
Ｖｃ、Ｖｓ  熱源水制御弁
【図１】
2008209023.tif 000003
【図２】
2008209023.tif 000004
【図３】
2008209023.tif 000005
【図４】
2008209023.tif 000006
【図５】
2008209023.tif 000007
【図６】
2008209023.tif 000008
【図７】
2008209023.tif 000009
【図８】
2008209023.tif 000010
【図９】
2008209023.tif 000011